(57)【要約】【課題】本発明は、健康状態の悪化傾向の検出精度の向上を図ることができる体重変動監視システムを提供することを目的とする。【解決手段】体重変動監視システム１は、体重計３と、体重計３から送信された体重データの変動を監視する体重変動監視装置５とを備え、体重変動監視装置５は、記憶部５１と、体重計３の通信部３７から送信された体重データを受信して該体重データの測定日と対応付けて前記記憶部に登録する受信データ登録部５３と、新たに記憶部５１に登録された体重データが閾値を超過しているか否かを判定する判定部５７と、新たに記憶部５１に登録された体重データが閾値を超過していると判定部５７により判定された場合に、判定部５７による判定結果を外部の端末装置に対して通知可能なデータ送信部５９と、所定期間における体重計３の利用者の体重変動の度合いに基づいて、所定期間ごとに閾値を補正可能な補正部５８とを有する。【選択図】図１
2019020275.tif 000002
【特許請求の範囲】
【請求項１】
利用者の体重データを測定する測定部、及び前記測定部で測定された体重データを送信する通信部を有する体重計と、
前記体重計の前記通信部から送信された体重データの変動を前記体重計の利用者ごとに監視する体重変動監視装置と
を備え、
前記体重変動監視装置は、
体重データと該体重データの測定日とを紐づけて記憶する記憶部と、
前記通信部から送信された体重データを受信して該体重データの測定日と対応付けて前記記憶部に登録する受信データ登録部と、
前記受信データ登録部によって新たに前記記憶部に登録された体重データが閾値を超過しているか否かを判定する判定部と、
新たに前記記憶部に登録された体重データが前記閾値を超過していると前記判定部により判定された場合に、前記判定部による判定結果を外部の端末装置に対して通知可能な通知部と、
所定期間における前記体重計の利用者の体重変動の度合いに基づいて、前記所定期間ごとに前記閾値を補正可能な補正部と、を有する
体重変動監視システム。
【請求項２】
前記補正部は、現在の前記閾値の適否を前記所定期間の体重変動の度合いに基づいて判断し、現在の前記閾値が不適である場合に現在の前記閾値に所定の数値を加算又は減算して現在の前記閾値を補正する
請求項１に記載の体重変動監視システム。
【請求項３】
前記補正部は、前記体重計の利用者の前記所定期間における体重変動の度合いに基づいて次に前記閾値の適否を判断するまでの前記所定期間の長さを決定する
請求項２に記載の体重変動監視システム。
【請求項４】
前記記憶部には、前記体重計の利用者に関する情報が記憶され、
前記閾値は、所定の測定期間において測定された該利用者の体重データ又は該利用者に関する情報を用いて導出された基準体重値に基づいて算出され、
前記補正部は、前記体重計の利用者の体重変動の度合いに基づいて前記基準体重値を変更可能であり、前記基準体重値を変更した場合に変更後の基準体重値に基づいて前記閾値を算出し直すことが可能である
請求項１から３のいずれか１項に記載の体重変動監視システム。
【請求項５】
前記補正部は、前記体重計の利用者に体重変動の要因となり得る事象が生じた場合に、外部の端末装置に対して前記基準体重値の見直しを促す通知を前記通知部に行わせることが可能である
請求項４に記載の体重変動監視システム。
【発明の詳細な説明】
【技術分野】
【０００１】
本発明は体重変動監視システムに関する。
【背景技術】
【０００２】
近年、慢性心不全患者が増加の一途をたどっている。多くの慢性心不全患者は病態の悪化に伴って入退院を繰り返しており、これによって、入院医療費の増大や患者の生活の質（ＱＯＬ）の低下といった問題が生じている。
特許文献１には、心不全や腎不全の発症経験者の体重を記録し、病気再発等の可能性が高くなったときに警告を通知できる装置を用いたシステムが開示されている。
【先行技術文献】
【特許文献】
【０００３】
【特許文献１】特開２０１５−１６４５０２号公報
【発明の概要】
【発明が解決しようとする課題】
【０００４】
しかしながら、従来のシステムでは、患者に病気再発等の健康状態悪化の傾向が生じていることを検出する精度が十分でないという問題がある。
【０００５】
本発明の目的は、健康状態の悪化傾向の検出精度の向上を図ることができる体重変動監視システムを提供することにある。
【課題を解決するための手段】
【０００６】
上記目的を達成するために、本発明の一態様による体重変動監視システムは、利用者の体重データを測定する測定部、及び前記測定部で測定された体重データを送信する通信部を有する体重計と、前記体重計の前記通信部から送信された体重データの変動を前記体重計の利用者ごとに監視する体重変動監視装置とを備え、前記体重変動監視装置は、体重データと該体重データの測定日とを紐づけて記憶する記憶部と、前記通信部から送信された体重データを受信して該体重データの測定日と対応付けて前記記憶部に登録する受信データ登録部と、前記受信データ登録部によって新たに前記記憶部に登録された体重データが閾値を超過しているか否かを判定する判定部と、新たに前記記憶部に登録された体重データが前記閾値を超過していると前記判定部により判定された場合に、前記判定部による判定結果を外部の端末装置に対して通知可能な通知部と、所定期間における前記体重計の利用者の体重変動の度合いに基づいて、前記所定期間ごとに前記閾値を補正可能な補正部と、を有する。
【発明の効果】
【０００７】
本発明の一態様によれば、健康状態の悪化傾向の検出精度の向上を図ることができる体重変動監視システムを提供することが可能になる。
【図面の簡単な説明】
【０００８】
【図１】本発明の一実施形態による体重変動監視システムの概要を説明するための構成図である。
【図２】本発明の一実施形態による体重変動監視システムにおける閾値超過判定処理の流れの一例を示すフローチャートである。
【図３】本発明の一実施形態による体重変動監視システムにおける基準体重値補正処理の流れの一例を示すフローチャートである。
【図４】本発明の一実施形態による体重変動監視システムにおける上限閾値補正処理の流れの一例を示すフローチャートである。
【図５】本発明の一実施形態による体重変動監視システムにおける上限閾値維持期間設定処理の流れの一例を示すフローチャートである。
【図６】本発明の一実施形態による体重変動監視システムにおける下限閾値補正処理の流れの一例を示すフローチャートである。
【図７】本発明の一実施形態による体重変動監視システムにおける下限閾値維持期間設定処理の流れの一例を示すフローチャートである。
【図８】心疾患患者αの体重変動を表すグラフである。
【図９】本発明の変形例における体重変動監視システムの構成を説明する図である。
【発明を実施するための形態】
【０００９】
以下、本発明を実施するための形態（以下、「実施形態」と称する）による体重変動監視システムについて図１から図８を用いて説明する。
【００１０】
図１に示すように、本実施形態による体重変動監視システム１は、通信機能を有する体重計３と、体重計３とインターネットを介して相互に通信可能に構成された体重変動監視装置５とを備えている。
【００１１】
まず、体重計３の構成の一例を詳細に説明する。体重計３は、例えば体重計３の利用者（以降、「体重計利用者」と称する）の自宅で使用される。本発明における体重計利用者としては、慢性心不全等の心疾患の患者が想定されている。
【００１２】
体重計３は、体重計利用者の体重データを測定する測定部３１を有している。測定部３１は、体重計利用者が体重計３上に載ることで体重データの測定を開始し、体重計利用者が体重計３上において測定状態を一定時間維持したことを検知すると体重計利用者の体重データの測定を完了する。
【００１３】
また、体重計３は、体重計３に設けられたメモリ等の記憶領域であるデータ蓄積部３３を有している。データ蓄積部３３は、測定部３１による体重データの測定が完了したことを検知すると該体重データと該体重データの測定日（測定時刻（時分秒）を含んでいてもよい）とを紐づけた体重データ情報を記憶領域に登録する。体重データは、測定部３１において測定される度にデータ蓄積部３３に蓄積される。体重データ情報は、予め定められた数だけデータ蓄積部３３に蓄積可能である。また、データ蓄積部３３には、体重計利用者の識別情報が登録されている。体重計利用者の識別情報とは、例えば体重計利用者に一意に紐づけられた識別番号である。
【００１４】
また、体重計３は、例えば体重計３の表面（天板）に設けられた液晶ディスプレイ装置であるデータ表示部３５を有している。データ表示部３５は、測定部３１による体重データの測定が完了したことを検知すると、測定された体重データ値を所定期間に亘って表示する。また、例えば体重計３には所定のボタン等で構成された操作部（不図示）が設けられ、この操作部を体重計利用者が操作することで、体重計３は、過去の体重データの履歴をデータ蓄積部３３から取得してデータ表示部３５に表示することが可能に構成されていてもよい。
【００１５】
また、体重計３は、測定部３１で測定された体重データを送信する通信部３７を有している。通信部３７は、インターネット等の通信手段を介して体重変動監視装置５と相互にデータの送受信を行う。通信部３７は、測定部３１による体重データの測定が完了したことを検知すると体重データ情報（体重データ及び測定日）と体重計利用者の識別情報とを独自のフォーマットに変換し体重変動監視装置５に送信する。
【００１６】
次に、体重変動監視装置５の構成の一例を詳細に説明する。
体重変動監視装置５は、体重計３の通信部３７から送信された体重データ情報に基づいて、体重計利用者の体重データの変動を監視する。体重変動監視装置５は、例えばサーバコンピュータである。サーバコンピュータは、例えば体重変動監視装置５の後述する各動作を行うソフトウェアが展開されることで体重変動監視装置５として機能する。また、体重変動監視装置５は外部の端末装置（外部端末装置）とインターネットを介して相互に通信可能に構成されている。体重変動監視装置５と接続される外部端末装置としては、例えば体重計利用者のかかりつけの医師（以降、「担当医師」と称する場合がある）が勤務する病院等に設置されたコンピュータ（病院側コンピュータ）やファクシミリ装置等の通信機能を有する端末装置（病院側端末装置）が想定される。また外部端末装置は利用者本人や家族などが利用するスマートフォンやタブレットなど情報端末であってもよい。図１では、外部端末装置の一例として、病院側コンピュータ９０を図示している。病院側コンピュータ９０は、表示部（例えば、ディスプレイ画面）を有しており、担当医師は、例えば病院側コンピュータ９０を用いて後述する判定部５７による処理結果や体重計利用者の体重データを随時取得、閲覧することができる。また、病院側コンピュータ９０は、ユーザーインターフェース（キーボード、マウス、ペンタブレット、タッチパネル等）を介して任意のデータを入力可能な入力部を有している。入力部に入力されたデータは、所定の操作（例えば、表示部に表示された登録ボタンのマウスクリック等）によって、体重変動監視装置５に送信される。また、図１では不図示であるが、体重変動監視装置５も、後述する判定部５７による処理結果や体重計利用者の体重データを随時取得、表示（閲覧）可能な表示部を有していてもよい。
【００１７】
体重変動監視装置５は、体重データと該体重データの測定日とを対応付けて記憶する記憶部５１を有している。記憶部５１は、体重変動監視装置５に設けられたメモリ等の所定の記憶領域である。また、記憶部５１において体重データと該体重データの測定日とは体重計利用者の識別情報と紐づけられている。記憶部５１には、複数の体重計利用者の体重データが記憶されている。また、記憶部５１には、体重計利用者の識別情報と体重計利用者の氏名や年齢、身長、病態等の詳細情報とが紐づけられて記憶されている。
【００１８】
また、体重変動監視装置５は、体重計３における通信部３７から送信された体重データを受信して該体重データの測定日と対応付けて記憶部５１に登録する受信データ登録部５３を有している。受信データ登録部５３は体重データ情報（体重データと測定日）の登録時において、同じく通信部３７から送信された体重計利用者の識別情報と体重データ情報とを紐づけて記憶部５１に登録する。また、受信データ登録部５３は、体重計３から送信された体重データ情報以外にも、体重変動監視装置５と接続された病院側コンピュータ９０を用いて担当医師等が入力したデータ等を受信し、受信したデータに対し必要に応じて演算等を実行して記憶部５１に記憶する。
【００１９】
また、体重変動監視装置５は、受信データ登録部５３によって新たに記憶部５１に登録された体重データの値が閾値を超えたか否かを判定する判定部５７を有する。判定部５７は、この判定によって、体重計利用者に病態の悪化（健康状態の悪化）の傾向が生じているか否かを判定する。判定部５７の動作の詳細については後述する。
【００２０】
また、体重変動監視装置５は、記憶部５１に登録された体重データが閾値を超過していると判定部５７により判定された場合、すなわち、体重計利用者に病態（健康状態）の悪化の傾向が生じていると判定部５７により判定された場合に、病院側コンピュータ９０を一例とする外部端末装置に対して通知を行うデータ送信部５９（通知部の一例）を有する。データ送信部５９は、例えば記憶部５１に記憶されている体重計利用者の詳細情報及び該体重計利用者に病態の悪化傾向が生じていること示す情報を少なくとも含む内容の電子メール（悪化傾向通知メール）を事前に設定した宛先へ送信する。また、さらにデータ送信部５９は、悪化傾向通知メールと同内容の情報を病院側端末装置であるファクシミリへ送信してもよい。事前に設定する宛先は、複数を設定してもよく、例えば担当医師が挙げられる。これにより、体重計利用者の病態に悪化傾向が生じていることが担当医師に通知される。病態の悪化傾向とは、病態が悪化状態（例えば、通院や往診で対応できずに入院する状態）に移行する前段階の状態を意味する。
【００２１】
慢性心不全のような心疾患では、予後管理として体重の管理が重要であることが指摘されている（「慢性心不全治療ガイドライン（２０１０年改訂版）」）。より具体的には、慢性心不全では心機能の低下に伴って血流量が低下し、尿量の減少がおこる。尿量が減少すると体内に水分が貯まり体重が増加するため、慢性心不全患者における体重増加は病態の悪化を示す傾向の１つである。こういったことからも、慢性心不全患者に特定の体重変動（主に、体重の増加傾向）が検出された場合に、担当医師に通知を行い、担当医師の介入（診察、生活指導等）を促すことは、慢性心不全患者の病態が悪化状態となることの防止に有効である。
【００２２】
本実施形態による体重変動監視システム１において、判定部５７は、基準体重値から算出された閾値に基づいて、体重計利用者に病態の悪化傾向を含む健康状態の悪化傾向が生じているか否かの判定を行う閾値超過判定処理を実行する。より具体的には、閾値には上限閾値及び下限閾値がある。詳しくは後述するが、上限閾値は、基準体重値に所定値（上限変動許容値）を加えて算出される。また、下限閾値は、基準体重値より所定値（下限変動許容値）を減じて算出される。基準体重値は、例えば体重計利用者の一定期間の体重から算出した値である。判定部５７は、体重計利用者の体重データが上限閾値から下限閾値の範囲（適正体重範囲）内である場合に体重計利用者に病態の悪化傾向がないと判定し、体重計利用者の体重データが上限閾値又は下限閾値を超過した場合、すなわち適正体重範囲外である場合に体重計利用者に病態の悪化傾向があると判定する。例えば、心疾患患者の体重が上限閾値を超過した場合は、心臓機能の低下の危険度が高い傾向にあること等が考えられる。また、心疾患患者の体重が下限閾値を超過した場合は、尿の排出を促進するために投薬された利尿剤等の影響による脱水症状等の危険度が高い傾向にあること等が考えられる。
【００２３】
（基準体重値の初期設定）
ここで、本実施形態による体重変動監視システム１における基準体重値の初期設定について説明する。初期設定時の基準体重値は、基準体重値の設定対象となる体重計利用者について過去の一定期間に測定された体重データが存在するか否かに応じて導出方法が異なる。ここで、過去の一定期間とは、例えば現在から遡って４週間の期間をいう。
【００２４】
基準体重値の設定対象となる体重計利用者について過去の一定期間（例えば、４週間）の体重データが存在する場合、担当医師は、この過去の一定期間の体重データに基づいて基準体重値を決定する。担当医師は、例えば過去の一定期間の体重データの平均値を用いて基準体重値を決定する。
【００２５】
担当医師は、過去の一定期間の体重データの平均値を初期設定時の基準体重値として導出すると、導出した基準体重値を病院側コンピュータ９０から入力する。
【００２６】
一方、基準体重値の設定対象となる体重計利用者について過去の一定期間の体重データが存在しない場合、担当医師は、基準体重値の設定対象となる体重計利用者の直近の体重と、身長や年齢等の情報に基づいて標準体重を導出し、これを初期設定時における基準体重値として病院側コンピュータ９０から入力する。また、設定対象となる体重計利用者について過去の体重データが存在しない場合、担当医師は、基準体重値の初期設定にあたって基準体重値の設定対象となる体重計利用者に設定対象となる体重計利用者の過去の体重がどの程度であったか等の問診を行ってもよい。この場合、担当医師は、問診の結果と標準体重とに基づいて基準体重値を導出してもよい。担当医師が導出した基準体重値が病院側コンピュータ９０から入力されると、受信データ登録部５３は、入力された基準体重値をこの基準体重値の設定対象である体重計利用者の識別情報と紐づけて記憶部５１に記憶する。
【００２７】
（閾値の初期設定）
担当医師は、基準体重値の初期設定を行うと、次に閾値の初期設定を行う。閾値は、基準体重値に対して所定の値を加算又は減算することで算出される。閾値の算出に用いる所定の値を調整値という。
【００２８】
調整値には、最も大きい値である最大調整値と、最も小さい値である最小調整値と、最大調整値と最小調整値の間の値である中間調整値との３種類がある。本実施形態において、最大調整値は、例えば２．５ｋｇであり、最小調整値は例えば１．５ｋｇであり、中間調整値は例えば２．０ｋｇである。上限閾値は、基準体重値にいずれかの調整値を加算することで算出される。また、下限閾値は、基準体重値からいずれかの調整値を減算することで算出される。なお、上述の最大調整値、中間調整値及び最小調整値は一例であって、本発明の各調整値は上述の値に限られない。
【００２９】
閾値の初期設定時において、担当医師は、３種類の調整値のうちいずれの調整値を用いて閾値を算出するかを決定する。担当医師は、閾値の設定対象となる体重計利用者の体重変動の度合が大きいか否かによって閾値の算出に用いる調整値を決定する。例えば担当医師は、１週間の体重変動が所定日の体重データを基準として±１．５ｋｇ以上あるという条件を満たす場合に、日常的な体重変動の度合いが大きいと判断する。なお、上述の当条件における体重変動の範囲（本例では、±１．５ｋｇ）は一例であって、当条件の体重変動の範囲は上述の範囲に限られない。また、体重変動の基準となる所定日は、適宜設定が可能である。担当医師は、体重変動の度合いが大きいと判断すると、初期設定時の基準体重値と最大調整値とを用いて閾値を算出すること、すなわち、上限閾値を基準体重値に最大調整値（例えば、２．５ｋｇ）を加算した値とし、下限閾値を基準体重値から最大調整値を減算した値とすることを決定する。最大調整値を用いる場合、閾値の設定対象となる体重計利用者の適正な体重変動の範囲は、（基準体重値＋２．５ｋｇ）の体重値から（基準体重値−２．５ｋｇ）の体重値の範囲となる。また閾値の算出にあたり、担当医師は、例えば基準体重値に最大調整値を加算した値を上限閾値とし、基準体重値から最小調整値を減算した値を下限閾値とする等、上限及び下限閾値の算出に、それぞれ別の調整値を用いてもよい。
【００３０】
一方、担当医師は、閾値の設定対象となる体重計利用者の体重変動の度合いが大きくないと判断すると、初期設定時の基準体重値と中間調整値とを用いて閾値を算出すること、すなわち、上限閾値を基準体重値に中間調整値（例えば、２．０ｋｇ）を加算した値とし、下限閾値を基準体重値から中間調整値を減算した値とすることを決定する。中間調整値を用いる場合、閾値の設定対象となる体重計利用者の適正な体重変動の範囲は、（基準体重値＋２．０ｋｇ）の体重値から（基準体重値−２．０ｋｇ）の体重値の範囲となる。本実施形態による体重変動監視システム１では、中間調整値を用いて算出される閾値が体重計利用者に適用される標準的な閾値となる。
【００３１】
また、担当医師は、閾値の設定対象となる体重計利用者の病態等に起因して、体重計利用者の体重をより厳重にコントロールするべきと判断すると、初期設定時の基準体重値と最小調整値とを用いて閾値を算出すること、すなわち、上限閾値を基準体重値に最小調整値（例えば、１．５ｋｇ）を加算した値とし、下限閾値を基準体重値から最小調整値を減算した値とすることを決定する。この場合、閾値の設定対象となる体重計利用者の適正な体重変動の範囲は、（基準体重値＋１．５ｋｇ）の体重値から（基準体重値−１．５ｋｇ）の体重値の範囲となる。
【００３２】
担当医師は、決定した上限及び下限閾値の算出に用いる調整値（最大調整値、中間調整値及び最小調整値のいずれか）を、病院側コンピュータ９０から入力して体重変動監視装置５に送信する。体重変動監視装置５の受信データ登録部５３は、調整値が入力されると閾値の設定対象である体重計利用者の基準体重値を記憶部５１から読み出し、読み出した基準体重値に上限閾値の算出に用いる調整値を加算して上限閾値を算出するとともに、基準体重値から下限閾値の算出に用いる調整値を減算して下限閾値を算出する。また、受信データ登録部５３は、算出した上限閾値、下限閾値及び病院側コンピュータ９０から送信された調整値を、体重計利用者の識別情報と紐づけて記憶部５１に記憶する。このように、本実施形態による体重変動監視システム１において、閾値（上限閾値及び下限閾値）は、所定の期間（測定期間の一例）において測定された体重計利用者の体重データ又は体重計利用者に関する情報（直近の体重測定値、年齢、身長等）を用いて導出された基準体重値に基づいて算出される。ここで、所定期間は、例えば４週間である。なお、基準体重値の導出に用いられる体重データは、体重計３を利用して測定されたデータでもよいし、別の体重計を用いて測定されて記録されていたデータであってもよい。
【００３３】
なお、体重変動監視システム１において、担当医師は、必要に応じて上述した３種類の調整値以外の任意の調整値を用いて閾値を算出することを決定してもよい。この場合、担当医師は、任意の調整値を病院側コンピュータ９０から入力する。また、この場合、担当医師は、上限閾値の算出に用いる任意の調整値と、下限閾値の算出に用いる任意の調整値とをそれぞれ異なる値としてもよい。
【００３４】
このように、体重変動監視システム１では、基準体重値、上限閾値及び下限閾値が記憶部５１に記憶されることで、体重変動監視装置５の判定部５７による閾値超過判定処理の実行が可能となる。また、担当医師は、閾値（上限閾値及び下限閾値）の初期設定時において、閾値とともに、閾値の設定対象である体重計利用者に対して、厳重な体重コントロールを開始するか否かの情報（厳重コントロール開始情報）を病院側コンピュータ９０から入力する。受信データ登録部５３は、厳重コントロール開始情報を受信すると、受信した厳重コントロール開始情報の内容を示すコード値（厳重コントロール開始コード値）を、体重計利用者を識別する情報と紐づけて記憶部５１に記憶する。
【００３５】
より具体的には、受信データ登録部５３は、受信した厳重コントロール開始情報が体重計利用者に対して厳重な体重コントロールを開始することを示す場合、厳重コントロール開始コードとして１を記憶する。また、受信データ登録部５３は、受信した厳重コントロール開始情報が体重計利用者に対して厳重な体重コントロールを行わないことを示す場合、厳重コントロール開始コードとして０を記憶する。
【００３６】
また、担当医師は、体重計利用者について、病態が安定したと判断した場合に、体重計利用者に対し厳重な体重コントロールを行わない旨の厳重コントロール開始情報を病院側コンピュータ９０から入力する。なお、厳重コントロール開始情報は、閾値の初期設定時に限らず、随時、病院側コンピュータ９０から入力可能である。例えば、担当医師は、体重計利用者について、病態が悪化したと判断した場合に、体重計利用者に対し厳重な体重コントロールを開始する旨の厳重コントロール開始情報を病院側コンピュータ９０から入力する。
【００３７】
ここで、判定部５７が実行する閾値超過判定処理の流れの一例について図２を用いて説明する。図２は、閾値超過判定処理の流れの一例を説明するフローチャートである。
【００３８】
（ステップＳ１１）
ステップＳ１１において判定部５７は、閾値超過判定処理の当日（以降、「本日」と称する場合がある）に新たに測定された体重計利用者の体重データがあるか否かを判定する。判定部５７は、記憶部５１に記憶されている体重計利用者の体重データを検索し、本日の日付及び体重計利用者の識別情報に合致する体重データの件数が１件以上である場合に体重計利用者の本日の体重データがあると判定してステップＳ１３の処理に移る。一方、判定部５７は、記憶部５１に記憶されている体重計利用者の体重データを検索し、本日の日付と体重計利用者の識別情報とに合致するデータが０件である場合に体重計利用者の本日の体重データがないと判定し、ステップＳ１３以降の処理を実行せずに閾値超過判定処理を終了する。
【００３９】
（ステップＳ１３）
ステップＳ１３において判定部５７は、体重計利用者についての本日の体重データを全て取得する。具体的には、判定部５７は、記憶部５１から本日の日付及び体重計利用者の識別情報に合致する体重データを全て取得する。判定部５７は、処理対象日の体重データを取得すると、ステップＳ１５の処理に移る。
【００４０】
（ステップＳ１５）
ステップＳ１５において判定部５７は、本日の体重データ件数（本日データ件数）を取得して体重変動監視装置５の所定の記憶領域に記憶し、ステップＳ１７の処理に移る。
【００４１】
（ステップＳ１７）
ステップＳ１７において判定部５７は、処理カウント値ｉに１を設定するとステップＳ１９の処理に移る。本実施形態による体重変動監視システム１では、閾値超過判定処理の実行時において本日測定した体重データが複数存在することが起こり得る。処理カウント値ｉは体重変動監視装置５の所定の記憶領域に記憶されており、処理カウント値ｉは、本日の体重データのうち後述するステップＳ１９、ステップＳ２３における閾値の超過有無の判定が行われた体重データの件数を計測するためのカウンタ値である。
【００４２】
（ステップＳ１９）
ステップＳ１９において判定部５７は、本日のｉ件目の体重データが上限閾値を超過しているか否かを判定する。判定部５７は、本日のｉ件目の体重データが上限閾値を超過していると判定するとステップＳ２１の処理に移る。一方、判定部５７は、本日のｉ件目の体重データが上限閾値を超過していないと判定するとステップＳ２３の処理に移る。また、体重データが上限閾値を極端に超過している（例えば、体重データが上限閾値より１５ｋｇ以上多い）場合、判定部５７はこれを測定ミスと自動判定し、上限閾値超過フラグをオン状態にする処理（ステップＳ２１の処理）を行わずにステップＳ１９の処理からステップＳ２６の処理に進んでもよい。
【００４３】
（ステップＳ２１）
ステップＳ２１において判定部５７は、上限閾値超過フラグをオン状態に設定してステップＳ２６の処理に移る。上限閾値超過フラグは、体重変動監視装置５の所定の記憶領域に記憶されており、オン状態か否かによって体重計利用者の体重データが上限閾値を超過しているか否かを示している。
【００４４】
（ステップＳ２３）
ステップＳ２３において判定部５７は、本日のｉ件目の体重データが下限閾値を超過しているか否かを判定する。判定部５７は、本日のｉ件目の体重データが下限閾値を超過していると判定するとステップＳ２５の処理に移る。一方、判定部５７は、本日のｉ件目の体重データが下限閾値を超過していないと判定するとステップＳ２７の処理に移る。また、体重データが下限閾値を極端に超過している（例えば、体重データが下限閾値よりも１５ｋｇ以上少ない）場合、判定部５７はこれを測定ミスと自動判定し、下限閾値超過フラグをオン状態にする処理（ステップＳ２５の処理）を行わずにステップＳ２３の処理からステップＳ２６の処理に進んでもよい。また、ステップＳ１９又はステップＳ２３において、測定ミスが生じている場合、後述するステップＳ２６の処理では、例えば、測定ミスが発生している旨のメールが事前に設定した宛先に送信されてもよい。
【００４５】
（ステップＳ２５）
ステップＳ２５において判定部５７は、下限閾値超過フラグをオン状態に設定してステップＳ２６の処理に移る。下限閾値超過フラグは、体重変動監視装置５の所定の記憶領域に記憶されており、オン状態か否かによって体重計利用者の体重データが下限閾値を超過しているか否かを示している。
【００４６】
（ステップＳ２６）
ステップＳ２６において判定部５７は、体重計利用者の本日の体重データが閾値（上限閾値又は下限閾値）を超過していることに基づいて、データ送信部５９に通知処理を実行させて、ステップＳ２７の処理に移る。上限閾値超過フラグがオン状態である場合、データ送信部５９は、通知処理において体重データが上限閾値を超過した旨の内容と体重計利用者の識別情報とを含む悪化傾向通知メールを事前に設定した宛先に送信する。また、下限閾値超過フラグがオン状態である場合、データ送信部５９は、通知処理において体重データが下限閾値を超過した旨の内容と体重計利用者の識別情報とを含む悪化傾向通知メールを事前に設定した宛先に送信する。また、さらに悪化傾向通知メールと同内容の情報を病院側端末装置であるファクシミリ装置へ送信してもよい。事前に設定する宛先は、複数を設定してもよく、例えば担当医師が挙げられる。また、例えば、本日の体重データが複数ある場合、全ての体重データについて閾値超過有無の判定（ステップＳ１９、ステップＳ２３）が終わるまで、それぞれの体重データの判定結果（閾値超過の有無）を所定の記憶領域に保存しておき、最後にまとめて悪化傾向通知メールを送信してもよい。この場合、複数の体重データそれぞれに対応する複数の悪化傾向通知メールを送信してもよいし、１つの悪化傾向通知メール内に複数の体重データそれぞれの判定結果をまとめて送信してもよい。
【００４７】
（ステップＳ２７）
ステップＳ２７において判定部５７は、処理カウント値ｉに１を加算してステップＳ２８の処理に移る。
【００４８】
（ステップＳ２８）
ステップＳ２８において判定部５７は、処理カウント値ｉが本日データ件数を超過したか否かを判定する。判定部５７は、処理カウント値ｉが本日データ件数を超過したと判定すると本日の体重データについての処理を終了し、ステップＳ２９の処理に移る。一方、判定部５７は、処理カウント値ｉが本日の体重データ件数を超過していないと判定すると本日の体重データについての処理を繰り返すためステップＳ１９の処理に戻る。このように、判定部５７は、本日の体重データ全てについてステップＳ１９の判定処理を繰り返す。
【００４９】
（ステップＳ２９）
ステップＳ２９において判定部５７は、処理カウント値ｉをクリアして閾値超過判定処理を終了する。
【００５０】
以上、閾値超過判定処理の流れの一例を説明した。判定部５７は、１日につき１回予め定められた時刻に閾値超過判定処理を実行する。定められた時刻は、例えば１２：００〜１４：００の間の何れかの時刻である。体重計利用者には体重計３の利用の開始にあたり、例えば担当医師から朝起床した際に体重データの測定を行うことが指導される。１２：００〜１４：００であれば、病院の診療日において担当医師が病院内にいる確率が高い。このため、体重変動監視装置５において体重計利用者に病態悪化の傾向が生じていると判定されて通知が行われた場合に、担当医師や看護師が体重計利用者に連絡する等の対応を迅速に行うことができる。また、閾値超過判定処理は、記憶部５１に記憶された各体重計利用者についてそれぞれ実行される。また体重変動監視システム１は、閾値超過判定処理を、体重データが記憶部５１に登録される度、すなわち体重計３から体重データが送信される度に実行するように構成されていてもよい。
【００５１】
また、データ送信部５９は、判定部５７が閾値超過判定処理において体重データの値が上限閾値又は下限閾値を超過していると判定したことに基づいて、事前に設定した宛先へ通知を行う。本実施形態による体重変動監視システム１は、閾値超過判定処理を行うことで、体重計利用者の病態に急な悪化傾向が生じた場合でもデータ送信部５９により担当医師への通知を行うことができる。
【００５２】
（基準体重値及び閾値の見直し）
体重計利用者の体重は、病態の悪化のみならず、季節や生活環境の変化等の様々な要因で変動する。そこで、本実施形態による体重変動監視システム１では、記憶部５１に基準体重値及び閾値が記憶されてから所定期間経過すると、体重計利用者の体重変動に応じて基準体重値及び閾値の見直しを行う。これにより、体重変動監視システム１は、体重計利用者の状況に見合った閾値を用いて病態の悪化傾向の有無を判定することができる。またさらに、体重変動監視システム１は、体重データの値が閾値を超過していると判定部５７により判定されて悪化傾向通知メールが送信されたが担当医師による診察等で病態の悪化が認識されないこと（誤報）や、逆に、病態の悪化傾向を示す体重変動があるにも関わらずこの体重変動を正しく捕捉されず判定部５７が悪化傾向の有無を正しく判定できないこと（判定過誤）を防止することが可能である。
【００５３】
図１に戻って、体重変動監視装置５は、判定部５７による閾値超過判定処理において用いられる閾値（上限閾値及び下限閾値）と、閾値の算出に用いられる基準体重値とを補正可能な補正部５８を有している。補正部５８は、例えば所定期間における体重計利用者の体重変動の度合いに基づいて、該所定期間ごとに閾値を補正可能である。また、補正部５８は、所定期間ごとに基準体重値を補正可能である。
【００５４】
本実施形態による体重変動監視システム１の体重変動監視装置５では、基準体重値及び閾値の補正は、補正処理日において実行される。補正処理日とは、補正部５８が基準体重値や閾値の補正処理を行う日付をいう。
【００５５】
（基準体重値の補正処理日の初期設定）
基準体重値の初期設定時において、担当医師は、基準体重値が決定されて記憶部５１に記憶されてから初回の見直し（補正処理）を行うまでの期間（基準体重値維持期間）を決定する。より具体的には、担当医師は、基準体重値の設定対象である体重計利用者の過去の一定期間（例えば１２週間）の体重データが存在している（例えば、手帳等に記録されていたり、電子データとして記憶されている）場合に、体重計利用者の過去の体重変動の傾向に基づいて、基準体重値維持期間を決定する。
【００５６】
例えば、体重計利用者の過去の体重変動の傾向が現在の体重変動の傾向と同程度である場合（体重変動傾向条件１を満たす場合）、担当医師は、基準体重値維持期間を１２週間に決定する。ここで、体重変動傾向条件１は、例えば直近１２週間における４週間ごとの体重値の平均値（過去の体重変動の傾向）と直近４週間における各週の体重値の平均値（現在の体重変動の傾向）が同等である（例えば、±２ｋｇ以内である）ことを指す。なお、過去の体重変動の傾向と現在の体重値（例えば、本日の体重値）とが同等であることを体重変動傾向条件１としてもよい。また、例えば、体重計利用者の過去の体重に増加傾向または減少傾向が顕著な場合（体重変動傾向条件２を満たす場合）、担当医師は、基準体重値維持期間を４週間に決定する。ここで、体重変動傾向条件２は、例えば直近１２週間における４週間ごとの体重値の平均値（過去の体重変動の傾向）と直近４週間における各週の体重値の平均値（現在の体重変動の傾向）との差が顕著である（例えば±２ｋｇを超過している）ことを指す。なお、過去の体重変動の傾向と現在の体重値（本日の体重値）と差が顕著であることを体重変動傾向条件２としてもよい。
【００５７】
一方、基準体重値の設定対象である体重計利用者の過去の一定期間（例えば１２週間分）の体重データが不明な場合、担当医師は、体重変動傾向条件２を満たす場合と同様に、基準体重値維持期間を４週間に決定する。これは、基準体重値の初期設定時から短期間に体重が大きく変動する可能性があるためである。
【００５８】
なお、上述の初期設定時における基準体重値維持期間は一例であって、本発明はこれに限られない。本実施形態による体重変動監視システム１では、体重変動傾向条件１を満たす場合の基準体重値維持期間よりも、体重変動傾向条件２を満たす場合の基準体重値維持期間及び基準体重値の設定対象である体重計利用者の過去の一定期間の体重データが不明な場合の基準体重値維持期間が短く設定されていればよい。
【００５９】
担当医師は、決定した基準体重維持期間を、病院側コンピュータ９０に入力し、体重変動監視装置５に送信する。受信データ登録部５３は、入力された基準体重維持期間を、基準体重維持期間の適用対象となる体重計利用者の識別情報と紐づけて記憶部５１に記憶する。さらに、受信データ登録部５３は、基準体重維持期間の入力日に基準体重維持期間を加算した日付を基準体重値の初回の補正処理日に決定し、決定した初回の補正処理日を適用対象の体重計利用者の識別情報と紐づけて記憶部５１に記憶する。本例において、基準体重値の初期設定日と基準体重維持期間の入力日は同日と想定している。これにより、初回の補正処理日が到来した場合に、補正部５８により基準体重値の補正処理が実行される。
【００６０】
（基準体重値補正処理の一例）
ここで、補正部５８によって実行される基準体重値を補正するための基準体重値補正処理について図３を用いて説明する。図３は、基準体重値補正処理の流れの一例を説明するフローチャートである。基準体重値補正処理は、記憶部５１に記憶された各体重計利用者について、１日に１回、毎日実行される。
【００６１】
（ステップＳ３１）
ステップＳ３１において、補正部５８は、基準体重値補正処理の当日（本日）の日付が基準体重値の補正処理日に該当するか否かを判定する。より具体的には、補正部５８は、記憶部５１から処理対象の体重計利用者の識別情報に紐づく基準体重値の補正処理日を読み出し、読み出した補正処理日と本日の日付が一致している、すなわち本日が基準体重値の補正処理日であると判定するとステップＳ３３の処理に移る。一方、補正部５８は、読み出した基準体重補正処理日と現在の日付が一致していない、すなわち本日が基準体重値の補正処理日でないと判定するとステップＳ３７に進む。
【００６２】
（ステップＳ３３）
ステップＳ３３において、補正部５８は、特定期間（例えば、基準体重値の初期設定日又は前回の基準体重値の補正処理日から本日までの期間）における体重変動ベースラインが基準範囲以上か否かを判定する。体重変動ベースラインとは、体重計利用者が体重計３を用いて測定した特定期間中における体重データの１週間移動平均値の平均値をいう。また、体重変動ベースラインは、特定期間中に測定された体重データの平均値であってもよい。本実施形態において補正部５８は、処理対象の体重計利用者について特定期間（本例では基準体重値の初期設定日又は前回の基準体重値の補正処理日から本日までの期間）の体重データを記憶部５１から読み出し、例えば特定期間中の体重データのうち１週間（７日間）ごとの体重データの単純移動平均を１週間移動平均値として算出する。体重計利用者が体重計３によって同日に複数回体重データを測定している場合、すなわち、同日付で記憶部５１に記憶された体重データが複数ある場合、補正部５８は、１日の平均体重を算出した後、１週間移動平均値を算出する。補正部５８は、１週間移動平均値を算出すると、次いで特定期間中における１週間移動平均値の平均値を算出する。
【００６３】
また、基準範囲とは、特定期間、例えば１週間移動平均の変動範囲の基準値をいう。本実施形態では、±２ｋｇ未満の変動範囲を基準範囲とする。補正部５８は、特定期間における体重データの１週間移動平均の変動範囲が±２ｋｇ以上である場合に基準範囲以上であると判定してステップＳ３５の処理に移る。一方、補正部５８は、特定期間における体重データの１週間移動平均の変動が±２ｋｇ未満である場合に基準範囲以上でないと判定してステップＳ３７の処理に移る。また基準範囲となる１週間移動平均の変動範囲は±２ｋｇ未満に限られず、主治医が体重計利用者ごとに設定してもよい。
【００６４】
（ステップＳ３５）
ステップＳ３５において、補正部５８は、処理対象の体重計利用者の直近４週間の体重データの平均値を新たな基準体重値に決定する。補正部５８は、記憶部５１に記憶されている直近４週間の体重データの平均値を新たな基準体重値として算出すると、体重計利用者の識別情報と紐づけて記憶されている現在の基準体重値を新たな基準体重値で更新し、ステップＳ４１に処理に移る。また、補正部５８は、ステップＳ３５の処理において新たな基準体重値を算出せずに、データ送信部５９を介して、基準体重値の見直しを促すメールを悪化傾向通知メールと同じ宛先に送信してもよい。
【００６５】
（ステップＳ３７）
ステップＳ３７において、補正部５８は、誤報（悪化傾向通知メールが送信されたが担当医師による診察等で病態の悪化が認識されないこと）が所定頻度以上発生しているか否かを判定する。本実施形態において、所定頻度は、例えば２回／４週間である。具体的には、補正部５８は、誤報が２回／４週間以上の頻度で発生していると判定すると、ステップＳ３９の処理に移る。誤報が発生すると、例えば担当医師は、病院側コンピュータ９０から誤報があったことを示す情報（誤報情報）を入力し、体重変動監視装置５に送信する。誤報情報には、誤報の対象となった体重計利用者を示す情報、誤報の発生日（悪化傾向通知メールの送信日）及び誤報の悪化傾向通知メールの送信根拠となった閾値（上限閾値及び下限閾値）の情報が含まれる。受信データ登録部５３は、誤報の対象となった体重計利用者の識別情報及び誤報の発生日を紐づけて受信した誤報情報を記憶部５１に記憶する。これにより、補正部５８は、ステップＳ３７の処理において直近４週間における誤報の発生回数を用いることができる。また、補正部５８は、悪化傾向通知メールが送信されてから一定期間（例えば２週間）のうちに担当医師が心不全の悪化傾向を確認したことを病院側コンピュータ９０から入力しない場合、当該悪化傾向通知メールを誤報と判断してもよい。これにより補正部５８は、担当医師が病院側コンピュータ９０から誤報情報を入力しなくても、ステップ３７の処理において一定期間（例えば２週間）遡った日を起点として過去４週間における誤報の発生回数を用いることができる。
【００６６】
一方、補正部５８は、誤報が２回／４週間以上の頻度で発生していないと判定すると、ステップＳ３９を実行せずに基準体重値補正処理を終了する。このように、補正部５８は、所定条件を満たす場合、すなわち体重変動ベースラインが基準範囲を超過している場合（ステップＳ３３のＹＥＳ）又は所定頻度以上の誤報が発生している場合（ステップＳ３７のＹＥＳ）に、基準体重値の変更（補正）を行う。また、所定条件を満たさない場合（ステップＳ３３のＮＯ且つステップＳ３７のＮＯ）は、基準体重値の補正処理日においても基準体重値を変更（補正）しない。
【００６７】
（ステップＳ３９）
ステップＳ３９において、補正部５８は、処理対象の体重計利用者の直近、例えば直近４週間の体重データの平均値を新たな基準体重値に決定する。補正部５８は、新たな基準体重値を算出すると、体重計利用者の識別情報と紐づけて記憶されている現在の基準体重値を新たな基準体重値で更新し、ステップＳ４１の処理に移る。また、ステップＳ３９において、補正部５８は、例えば直近４週間の体重データの１週間移動平均値の平均値を基準体重値としてもよい。また、補正部５８は、ステップＳ３９の処理において新たな基準体重値を算出せずに、データ送信部５９を介して、基準体重値の見直しを促すメールを担当医や悪化傾向通知メールと同じ宛先に送信してもよい。
【００６８】
（ステップＳ４１）
ステップＳ４１において、補正部５８は、ステップＳ３５又はステップＳ３９の処理において基準体重値が再設定されたことに基づいて、閾値を再設定する。基準体重値が変更された際に、変更された基準体重値に基づいて閾値を新たに算出することで、例えば基準体重値が閾値を超過してしまうような状態を回避することができる。具体的には、補正部５８は、処理対象の体重計利用者に紐づけて記憶部５１に記憶されている調整値を読み出し、読み出した調整値をステップＳ３５又はステップＳ３９で変更した基準体重値に加算した値を新たな上限閾値とする。また、読み出した調整値をステップＳ３５又はステップＳ３９で変更した基準体重値から減算した値を新たな下限閾値とする。補正部５８は、新たに算出した閾値（上限閾値及び下限閾値）を、処置対象の体重計利用者の識別情報と紐づけて記憶部５１に記憶する。このように、補正部５８は、体重計３の利用者の体重変動の度合いに基づいて基準体重値を変更可能であり、基準体重値を変更した場合に変更後の基準体重値に基づいて現在の閾値を算出し直すことが可能である。
【００６９】
（閾値補正処理日の初期設定）
閾値の初期設定時において、担当医師は、閾値が決定されて記憶部５１に記憶されてから見直し（補正処理）を行うまでの期間（閾値維持期間）を決定する。閾値維持期間には、上限閾値維持期間と下限閾値維持期間がある。初期設定時においては、上限閾値維持期間と下限閾値維持期間とは同期間に設定される。より具体的には、担当医師は、初期設定時において、例えば上限閾値維持期間及び下限閾値維持期間を１２週間に決定する。なお、初期設定時の上限閾値維持期間及び下限閾値維持期間は１２週間に限られない。担当医師は、決定した上限閾値維持期間及び下限閾値維持期間を、病院側コンピュータ９０に入力する。受信データ登録部５３は、入力された上限閾値維持期間及び下限閾値維持期間を、当該期間の適用対象となる体重計利用者の識別情報と紐づけて記憶部５１に記憶する。さらに、受信データ登録部５３は、上限閾値維持期間及び下限閾値維持期間の入力日に上限閾値維持期間及び下限閾値維持期間を加算した日付を上限閾値及び下限閾値の初回の補正処理日に決定し、決定した初回の上限閾値補正処理日及び下限閾値補正処理日を閾値の設定対象である体重計利用者の識別情報と紐づけて記憶部５１に記憶する。本例において、閾値の初期設定日と上限閾値維持期間及び下限閾値維持期間の入力日は同日と想定している。これにより、初回の上限閾値補正処理日及び下限閾値補正処理日が到来した場合に、補正部５８により上限閾値及び下限閾値の補正処理が実行される。
【００７０】
（閾値補正処理の一例）
ここで、補正部５８によって実行される閾値を補正するための閾値補正処理について説明する。補正部５８は、閾値補正処理において現在の閾値の適否を所定期間の体重変動の度合いに基づいて判断し、現在の閾値が不適である場合に現在の閾値に所定の補正値を加算又は減算して現在の閾値を補正する。これにより、本実施形態による体重変動監視システム１は、体重計利用者の病態の悪化以外の要因による体重変動に応じて閾値を補正することができる。このため、体重変動監視システム１は、常に適切な閾値を用いて判定部５７による閾値超過判定処理を実行し、健康状態の悪化傾向の検出精度の向上を図ることができる。
【００７１】
まず、図４及び図５を用いて上限閾値を補正するための上限閾値補正処理を説明する。図４は、上限閾値補正処理の流れの一例を説明するフローチャートである。図５は、上限閾値補正処理内で実行される上限閾値維持期間設定処理の流れの一例を示すフローチャートである。上限閾値補正処理は、記憶部５１に記憶された各体重計利用者について、例えば１日に１回、毎日実行される。
【００７２】
（ステップＳ５１）
ステップＳ５１において、補正部５８は、処理対象の体重計利用者に対して厳重な体重コントロールが開始されるか否かを判定する。補正部５８は、処理対象の体重計利用者に紐づく厳重コントロール開始コード値を記憶部５１から読み出し、読み出した厳重コントロール開始コード値が「１」であって処理対象の体重計利用者に対して厳重な体重コントロールが開始されると判定すると、記憶部５１に記憶された厳重コントロール開始コード値をクリアしてステップＳ６１の処理に移る。処理対象の体重計利用者が厳重な体重コントロールの対象となった場合には、体重計利用者における適正体重範囲を狭くして、細かな体重変動による閾値の超過を捕捉する必要がある。したがって、現在の上限閾値のままで閾値判定処理が行われると、細かな体重変動による閾値の超過を捕捉できない等、健康状態の悪化傾向の検出精度の維持が困難になるおそれがある。このため、本実施形態による体重変動監視システム１において、補正部５８は、処理対象の体重計利用者が厳重な体重コントロールの対象となった場合に現在の閾値を不適であるとして、後述のステップＳ６１の処理において、閾値の補正を行う。一方、補正部５８は、読み出した厳重コントロール開始コード値が「１」でなく（「０」又はブランク）、体重計利用者に対して厳重な体重コントロールが行われないと判定するとステップＳ５３の処理に移る。
【００７３】
（ステップＳ５３）
ステップＳ５３において、補正部５８は、上限閾値補正処理の当日（本日）の日付が上限閾値補正処理日に該当するか否かを判定する。より具体的には、補正部５８は、記憶部５１から処理対象の体重計利用者の識別情報に紐づく上限閾値補正処理日を読み出し、読み出した上限閾値補正処理日と本日の日付が一致している、すなわち本日が上限閾値補正処理日であると判定するとステップＳ５５の処理に移る。一方、補正部５８は、読み出した上限閾値補正処理日と現在の日付が一致していない、すなわち本日が上限閾値補正処理日でないと判定すると、以降の処理を全て実行せずに上限閾値補正処理を終了する。
【００７４】
（ステップＳ５５）
ステップＳ５５において、補正部５８は、処理対象の体重計利用者の体重変動が大きいか否かを判定する。より具体的には、補正部５８は、例えば前回の上限閾値補正日から本日までの期間、又は直近４週間のいずれかのうち短い方の期間に測定された体重データの平均値が、現在の上限閾値よりも大きい場合に、体重変動が大きいと判定する（体重変動量判定条件１）。補正部５８は、体重変動量判定条件１を満たしており、処理対象の体重計利用者の体重変動が大きいと判定するとステップＳ５７の処理に移る。体重計利用者の体重変動が大きい場合に現在の上限閾値のままで閾値判定処理が行われることで、例えば誤報が発生する等、健康状態の悪化傾向の検出精度が低下するおそれがある。このため、本実施形態による体重変動監視システム１において、補正部５８は、体重計利用者の体重変動が大きい場合に現在の上限閾値を不適であるとして、後述のステップＳ５７において、上限閾値の補正を行う。体重変動監視システム１は、健康状態の悪化傾向の検出精度の向上を図ることができる。一方、補正部５８は、上述の体重変動量判定条件１を満たしておらず、処理対象の体重計利用者の体重変動が大きくないと判定すると、ステップ５９の処理に移る。なお、上述の体重変動量判定条件１の内容は体重計利用者の体重変動が大きいか否かを判定する条件の一例であり、本発明はこれに限られない。補正部５８は、他の条件により体重変動が大きいか否かを判定してもよい。
【００７５】
（ステップＳ５７）
ステップＳ５７において、補正部５８は、現在の上限閾値に所定の補正値を加算した値を補正後の上限閾値として記憶部５１に記憶し、ステップＳ１００の処理に移る。より具体的には、補正部５８は、処理対象の体重計利用者に紐づく上限閾値を記憶部５１から読み出し、読み出した上限閾値に所定の補正値（例えば、０．５ｋｇ）を加算した値を補正後の上限閾値として記憶部５１に記憶する。また、補正部５８は、ステップＳ５７の処理において新たな上限閾値を算出せずに、データ送信部５９を介して、担当医や悪化傾向通知メールと同じ宛先に上限閾値の見直しを促すメールを送信してもよい。
【００７６】
（ステップＳ５９）
ステップＳ５９において、補正部５８は、処理対象の体重計利用者の体重変動が小さいか否かを判定する。より具体的には、補正部５８は、例えば前回の上限閾値補正日から本日までの期間、又は直近４週間のいずれかのうち短い方の期間に測定された体重データの平均値が、現在の上限閾値から０．５ｋｇを差し引いた値（現在の上限値−０．５ｋｇ）よりも小さい場合に、処理対象の体重計利用者の体重変動が小さいと判定する（体重変動量判定条件２）。補正部５８は、体重変動量判定条件２を満たしており、処理対象の体重計利用者の体重変動が小さいと判定するとステップＳ６１の処理に移る。体重計利用者の体重変動が小さい場合に現在の上限閾値のままで閾値判定処理が行われることで、例えば悪化傾向が検出できない等、健康状態の悪化傾向の検出精度が低下するおそれがある。このため、本実施形態による体重変動監視システム１において、補正部５８は、体重計利用者の体重変動が小さい場合に現在の上限閾値を不適であるとして、後述のステップＳ６１において、上限閾値の補正を行う。体重変動監視システム１は、健康状態の悪化傾向の検出精度の向上を図ることができる。一方、補正部５８は、上述の体重変動量判定条件２を満たしておらず、処理対象の体重計利用者の体重変動が小さくないと判定すると、ステップＳ１００の処理に移る。
【００７７】
（ステップＳ６１）
ステップＳ６１において、補正部５８は、現在の上限閾値から所定の補正値を減算した値を補正後の上限閾値として記憶部５１に記憶し、ステップＳ１００の処理に移る。より具体的には、補正部５８は、処理対象の体重計利用者に紐づく上限閾値を記憶部５１から読み出し、読み出した上限閾値から所定の補正値（例えば、０．５ｋｇ）を減算した値を補正後の上限閾値として記憶部５１に記憶する。これにより、処理対象の体重計利用者に対して厳重な体重コントロールが開始される場合（ステップＳ５１のＹＥＳ）又は処理対象の体重計利用者の体重変動が小さい場合（ステップＳ５９のＹＥＳ）に、上限閾値が現在より小さい値に更新される。ここで、補正後の上限閾値が現在の基準体重値よりも小さい値になる場合、例えば補正部５８は、補正後の上限閾値を記憶部５１に記憶せずに、ステップＳ１００の処理に移る。また、補正部５８は、ステップＳ６１の処理において新たな上限閾値を算出せずに、データ送信部５９を介して、担当医や悪化傾向通知メールと同じ宛先に上限閾値の見直しを促すメールを送信してもよい。
【００７８】
（ステップＳ１００）
ステップＳ１００において、補正部５８は、上限閾値維持期間の見直しを行うための上限閾値維持期間設定処理を実行する。ここで、上限閾値維持期間設定処理について、図５を用いて説明する。上限閾値維持期間設定処理において補正部５８は、現在の上限閾値の適否の判断時（上限閾値補正処理の実行時）に体重計利用者の上限閾値維持期間における体重変動の度合いに基づいて、次に上限閾値の適否を判断するまでの上限閾値維持期間の長さを決定する。また、補正部５８は、新たな上限閾値維持期間を算出せずに、データ送信部５９を介して、上限閾値維持期間の見直しを促すメールを担当医や悪化傾向通知メールと同じ宛先に送信してもよい。
【００７９】
（ステップＳ１０１）
ステップＳ１０１において、補正部５８は、本日（処理当日）が上限閾値の初期設定の日から１２週間以内の日付であるか否かを判定し、１２週間以内の日付でないと判定するとステップＳ１０９の処理に移る。一方、補正部５８は、本日（処理当日）が上限閾値の初期設定の日から１２週間以内の日付であると判定するとステップＳ１０３の処理に移る。
【００８０】
（ステップＳ１０３）
ステップＳ１０３において、補正部５８は、所定頻度以上の誤報が発生していなかったか否かを判定する。具体的には、補正部５８は、ステップＳ３７の処理と同様に、誤報が例えば２回／４週間以上の頻度で発生していると判定すると、ステップＳ１０９の処理に移る。一方、補正部５８は、誤報が例えば２回／４週間以上の頻度で発生していないと判定すると、ステップＳ１０５の処理に移る。
【００８１】
（ステップＳ１０５）
ステップＳ１０５において、補正部５８は、一定期間（例えば直近８週間）に心不全が悪化しているか否かを判定する。心不全が悪化しているか否かの判定は、担当医師により悪化を示す情報（悪化報告）が入力されているか否かで判定する。担当医師は体重計利用者について心不全の悪化を確認すると、病院側コンピュータ９０から体重計利用者の識別情報と悪化報告を入力することができる。受信データ登録部５３は、悪化報告が入力されると体重計利用者に紐づく心不全悪化フラグをオン状態に設定するとともに悪化報告が入力された日付及び体重計利用者の識別情報を紐づけて記憶部５１に記録する。一方、担当医師は心不全の病態が安定したことを確認すると、病院側コンピュータ９０から病態の安定を示す情報（安定報告）を入力することができる。受信データ登録部５３は、安定報告が入力されると体重計利用者に紐づく心不全悪化フラグをオフ状態に設定する。補正部５８は、処理対象の体重計利用者について、一定期間内（例えば直近８週間以内）に悪化報告が入力されて心不全悪化フラグがオン状態となっており、心不全が悪化していると判定するとステップＳ１０９の処理に移る。一方、補正部５８は悪化フラグがオフ状態であって心不全が悪化していないと判定するとステップＳ１０７の処理に移る。
【００８２】
（ステップＳ１０７）
ステップＳ１０７において、補正部５８は、新たな上限閾値維持期間を本日（上限閾値維持期間設定処理の当日）から８週間に決定し、新たな上限閾値維持期間の値で記憶部５１の処理対象の体重計利用者に紐づく上限閾値維持期間を更新して、上限閾値維持期間設定処理を終了し上限閾値補正処理（図４参照）に戻る。
【００８３】
（ステップＳ１０９）
ステップＳ１０９において、補正部５８は、ステップＳ５５の処理と同様に、処理対象の体重計利用者の体重変動が大きいか否かを判定する。より具体的には、補正部５８は、処理対象の体重計利用者の体重変動が大きい（上述の体重変動量判定条件１を満たしている）と判定するとステップＳ１１１の処理に移る。一方、補正部５８は、処理対象の体重計利用者の体重変動が大きくない（上述の体重変動量判定条件１を満たしていない）と判定すると、ステップＳ１１３の処理に移る。
【００８４】
（ステップＳ１１１）
ステップＳ１１１において、補正部５８は、新たな上限閾値維持期間を本日（上限閾値維持期間設定処理の当日）から２週間に決定し、新たな上限閾値維持期間の値で記憶部５１の処理対象の体重計利用者に紐づく上限閾値維持期間を更新して、上限閾値維持期間設定処理を終了し上限閾値補正処理（図４参照）に戻る。
【００８５】
（ステップＳ１１３）
ステップＳ１１３において、補正部５８は、本日（処理当日）が上限閾値の初期設定の日から１２週間以内の日付でない場合（ステップＳ１０１のＮＯ）、処理対象の体重計利用者について所定頻度以上の誤報が発生している場合（ステップＳ１０３のＮＯ）、又は処理対象の体重計利用者について直近８週間に悪化報告が入力されている場合（ステップＳ１０５のＮＯ）であり且つ処理対象の体重計利用者の体重変動が大きくない場合（ステップＳ１０９のＮＯ）に、新たな上限閾値維持期間を本日（上限閾値維持期間設定処理の当日）から４週間に決定する。補正部５８は、新たな上限閾値維持期間の値で記憶部５１の処理対象の体重計利用者に紐づく上限閾値維持期間を更新して、上限閾値維持期間設定処理を終了し上限閾値補正処理に戻る。
【００８６】
次に、図６及び図７を用いて下限閾値を補正するための下限閾値補正処理を説明する。図６は、下限閾値補正処理の流れの一例を説明するフローチャートである。図７は、下限閾値補正処理内で実行される下限閾値維持期間設定処理の流れの一例を示すフローチャートである。下限閾値補正処理は、記憶部５１に記憶された各体重計利用者について、例えば１日に１回、毎日実行される。
【００８７】
（ステップＳ７１）
ステップＳ７１において、補正部５８は、ステップＳ５１と同様に、処理対象の体重計利用者に対して厳重な体重コントロールが開始されたか否かを判定する。補正部５８は、処理対象の体重計利用者に紐づく厳重コントロール対象コード値を記憶部５１から読み出し、読み出した厳重コントロール対象コード値が「１」であって処理対象の体重計利用者に対して厳重な体重コントロールが開始されると判定すると、厳重コントロール開始コード値をクリアしてステップＳ８１の処理に移る。一方、補正部５８は、読み出した厳重コントロール対象コード値が「１」でなく（「０」又はブランク）、体重計利用者に対して厳重な体重コントロールが行われないと判定すると、ステップＳ７３の処理に移る。
【００８８】
（ステップＳ７３）
ステップＳ７３において、補正部５８は、下限閾値補正処理の当日（本日）の日付が下限閾値補正処理日に該当するか否かを判定する。より具体的には、補正部５８は、記憶部５１から処理対象の体重計利用者の識別情報に紐づく下限閾値補正処理日を読み出し、読み出した下限閾値補正処理日と本日の日付が一致している、すなわち本日が下限閾値補正処理日であると判定するとステップＳ７５の処理に移る。一方、補正部５８は、読み出した下限閾値補正処理日と現在の日付が一致していない、すなわち本日が下限閾値補正処理日でないと判定すると、以降の処理を全て実行せずに下限閾値補正処理を終了する。
【００８９】
（ステップＳ７５）
ステップＳ７５において、補正部５８は、ステップＳ５５と同様に、処理対象の体重計利用者の体重変動が大きいか否かを判定する。より具体的には、補正部５８は、例えば前回の下限閾値補正日から本日までの期間、又は直近４週間のいずれかのうち短い方の期間に測定された体重データの平均値が、現在の下限閾値よりも小さい場合に、体重変動が大きいと判定する（体重変動量判定条件３）。補正部５８は、上述の体重変動量判定条件３を満たしており処理対象の体重計利用者の体重変動が大きいと判定するとステップＳ７７の処理に移る。一方、補正部５８は、上述の体重変動量判定条件３を満たしておらず、処理対象の体重計利用者の体重変動が大きくないと判定すると、ステップＳ７９の処理に移る。このように、本実施形態による体重変動監視システム１において、補正部５８は、体重計利用者の体重変動が大きい場合に現在の下限閾値を不適であるとして、後述のステップＳ７７において、下限閾値の補正を行う。これにより体重変動監視システム１は、体重計利用者に関する健康状態の悪化傾向の検出精度の向上を図ることができる。
【００９０】
（ステップＳ７７）
ステップＳ７７において、補正部５８は、現在の下限閾値から所定の補正値を減算した値を補正後の下限閾値として記憶部５１に記憶し、ステップＳ２００の処理に移る。より具体的には、補正部５８は、処理対象の体重計利用者に紐づく下限閾値を記憶部５１から読み出し、読み出した下限閾値から所定の補正値（例えば、０．５ｋｇ）を減算した値を補正後の上限閾値として記憶部５１に記憶する。また、補正部５８は、ステップＳ７７の処理において新たな下限閾値を算出せずに、データ送信部５９を介して、担当医や悪化傾向通知メールと同じ宛先に下限閾値の見直しを促すメールを送信してもよい。
【００９１】
（ステップＳ７９）
ステップＳ７９において、補正部５８は、ステップＳ５９と同様に、処理対象の体重計利用者の体重変動が小さい否かを判定する。より具体的には、補正部５８は、例えば前回の下限閾値補正日から本日までの期間、又は直近４週間のいずれかのうち短い方の期間に測定された体重データの平均値が、現在の下限閾値に０．５ｋｇを加えた値（現在の下限値＋０．５ｋｇ）よりも大きい場合に、処理対象の体重計利用者の体重変動が小さいと判定する（体重変動量判定条件４）。補正部５８は上述体重変動量判定条件４を満たしており体重変動が小さいと判断するとステップＳ８１の処理に移る。一方、補正部５８は、上述の体重変動量判定条件４を満たしておらず、処理対象の体重計利用者の体重変動が小さくないと判定すると、ステップＳ２００の処理に移る。このように、本実施形態による体重変動監視システム１において、補正部５８は、体重計利用者の体重変動が小さい場合に現在の下限閾値を不適であるとして、後述のステップＳ８１において、下限閾値の補正を行う。これにより、体重変動監視システム１は、健康状態の悪化傾向の検出精度の向上を図ることができる。
【００９２】
（ステップＳ８１）
ステップＳ８１において、補正部５８は、現在の下限閾値に所定の補正値を加算した値を補正後の下限閾値として記憶部５１に記憶し、ステップＳ２００の処理に移る。より具体的には、補正部５８は、処理対象の体重計利用者に紐づく下限閾値を記憶部５１から読み出し、読み出した下限閾値に所定の補正値（例えば、０．５ｋｇ）を加算した値を補正後の下限閾値として記憶部５１に記憶する。ここで、補正部５８は、補正後の下限閾値が現在の基準体重値よりも大きい値になる場合は、補正後の下限閾値を記憶部５１に記憶せずに、ステップＳ２００の処理に移る。また、補正部５８は、ステップＳ８１の処理において新たな下限閾値を算出せずに、データ送信部５９を介して、担当医や悪化傾向通知メールと同じ宛先に下限閾値の見直しを促すメールを送信してもよい。
【００９３】
（ステップＳ２００）
ステップＳ２００において、補正部５８は、下限閾値維持期間の見直しを行うための下限閾値維持期間設定処理を実行する。下限閾値維持期間設定処理において補正部５８は、現在の下限閾値の適否の判断時（下限閾値補正処理の実行時）に体重計利用者の下限閾値維持期間における体重変動の度合いに基づいて、次に下限閾値の適否を判断するまで下限閾値維持期間の長さを決定する。ここで、下限閾値維持期間設定処理について、図７を用いて説明する。
【００９４】
（ステップＳ２０１）
ステップＳ２０１において、補正部５８は、本日（処理当日）が下限閾値の初期設定の日から１２週間以内の日付であるか否かを判定し、１２週間以内の日付でないと判定するとステップＳ２０９の処理に移る。一方、補正部５８は、本日（処理当日）が下限閾値の初期設定の日から１２週間以内の日付であると判定するとステップＳ２０３の処理に移る。
【００９５】
（ステップＳ２０３）
ステップＳ２０３において、補正部５８は、ステップＳ１０３と同様に、所定頻度以上の誤報が発生していなかったか否かを判定する。具体的には、補正部５８は、誤報が２回／４週間以上の頻度で発生していると判定すると、ステップＳ２０９の処理に移る。一方、補正部５８は、誤報が２回／４週間以上の頻度で発生していないと判定すると、ステップＳ２０５の処理に移る。
【００９６】
（ステップＳ２０５）
ステップＳ２０５において、補正部５８は、ステップＳ１０５と同様に、直近の一定期間（例えば８週間）に心不全が悪化しているか否かを判定する。心不全が悪化しているか否かの判定は、心不全悪化確認フラグがオン状態になっているか否かで判定する。補正部５８は、処理対象の体重計利用者に紐づく一定期間分（例えば８週間分）の心不全悪化情報を記憶部５１から読み出し、読み出した心不全悪化情報の中に悪化を示す情報がある（悪化フラグがオン状態）と判定するとステップＳ２０９の処理に移る。一方、補正部５８は読み出した悪化情報の中に悪化を示す情報が無い（悪化フラグがオフ状態）と判定するとステップＳ２０７の処理に移る。
【００９７】
（ステップＳ２０７）
ステップＳ２０７において、補正部５８は、新たな下限閾値維持期間を本日（下限閾値維持期間設定処理の当日）から８週間に決定し、新たな下限閾値維持期間の値で記憶部５１の処理対象の体重計利用者に紐づく下限閾値維持期間を更新して、下限閾値維持期間設定処理を終了し下限閾値補正処理（図６参照）に戻る。
【００９８】
（ステップＳ２０９）
ステップＳ２０９において、補正部５８は、ステップＳ７５の処理と同様に、処理対象の体重計利用者の体重変動が大きいか否かを判定する。より具体的には、補正部５８は、処理対象の体重計利用者の体重変動が大きい（上述の体重変動量判定条件３を満たしている）と判定するとステップＳ２１１の処理に移る。一方、補正部５８は、処理対象の体重計利用者の体重変動が大きくない（上述の体重変動量判定条件３を満たしていない）と判定すると、ステップＳ２１３の処理に移る。
【００９９】
（ステップＳ２１１）
ステップＳ２１１において、補正部５８は、新たな下限閾値維持期間を本日（下限閾値維持期間設定処理の当日）から２週間に決定し、新たな下限閾値維持期間の値で記憶部５１の処理対象の体重計利用者に紐づく下限閾値維持期間を更新して、下限閾値維持期間設定処理を終了し下限閾値補正処理（図６参照）に戻る。
【０１００】
（ステップＳ２１３）
ステップＳ２１３において、補正部５８は、本日（処理当日）が下限閾値の初期設定の日から１２週間以内の日付でない場合（ステップＳ２０１のＮＯ）、処理対象の体重計利用者について所定頻度以上の誤報が発生している場合（ステップＳ２０３のＮＯ）、又は処理対象の体重計利用者について直近８週間に悪化報告が入力されている場合（ステップＳ２０５のＮＯ）であり且つ処理対象の体重計利用者の体重変動が大きくない場合（ステップＳ２０９のＮＯ）に、新たな下限閾値維持期間本日（下限閾値維持期間設定処理の当日）から４週間に決定する。補正部５８は、新たな下限閾値維持期間の値で記憶部５１の処理対象の体重計利用者に紐づく下限閾値維持期間を更新して、下限閾値維持期間設定処理を終了し下限閾値補正処理に戻る。
【０１０１】
（基準体重値及び閾値の補正の具体例）
次に、図８を用いて体重計利用者として想定される心疾患（慢性心不全）患者の体重データの変動に基づいて、基準体重値及び閾値を補正した具体例を示す。図８は、心疾患患者αの２７週間分の体重変動を表すグラフである。以下、図８に示す２６週間の期間を、体重監視期間と称する。図８の縦軸は体重計３で測定された体重の値（単位：ｋｇ）を表し、横軸は週数を表している。また、図８には、心疾患患者αの基準体重値を示す基準体重線Ｓｗ、心疾患患者αに対する閾値超過判定処理に用いる上限閾値を示す上限体重線Ｕｗおよび閾値超過判定処理に用いる下限閾値を示す下限体重線Ｄｗが図示されている。本例では、心疾患患者αの基準体重値維持期間は１２週間に設定されているとする。
【０１０２】
図８に示す体重監視期間の０〜４週目において、基準体重線Ｓｗが示す基準体重値は、７４．６ｋｇであり、上限体重線Ｕｗが示す上限閾値は７６．６ｋｇ（＝基準体重値＋２．０ｋｇ）であり、下限体重線Ｄｗが示す下限閾値は７２．６ｋｇ（＝基準体重値−２．０ｋｇ）である。また、図８に示す例では、監視期間の４週目の初日が前回の基準体重値補正処理から１２週間目、すなわち基準体重値補正処理日に該当する。このため、図８に示すように、監視期間の４週目の初日において、基準体重線Ｓｗが示す基準体重値は７４．６ｋｇから直近４週間の平均体重値（７３．３ｋｇ）へ補正されている。これは、基準体重値補正処理（図３参照）のステップＳ３５において、補正部５８が直近４週間の体重データの平均値を基準体重値に決定したためである。また、基準体重値の補正に伴い、上限体重線Ｕｗが示す上限閾値は新たな基準体重値（７３．３ｋｇ）に２．０ｋｇを加算した値（７５．３ｋｇ）に設定され、下限体重線Ｄｗが示す下限閾値は新たな基準体重値（７３．３ｋｇ）から２．０ｋｇを減算した値（７１．３ｋｇ）に再設定されている。これは、基準体重値の補正に伴い、基準体重値補正処理のステップＳ４１において補正部５８が、閾値の再設定を行ったためである。
【０１０３】
本例では、監視期間の４週目の初日に基準体重値及び閾値（上限閾値及び下限閾値）の補正が行われたことで、監視期間の８週目において測定された７５．７ｋｇを示す体重データＰ１が上限閾値を超過したことが判定部５７の閾値超過判定処理（図２参照）において捕捉され、担当医師に悪化傾向通知メールが送信される。これにより、担当医師が心疾患患者αに対して診察、生活指導等を行い、心疾患患者αの病態がさらに悪化することを防止することができる。一方、基準体重値及び閾値（上限閾値及び下限閾値）の補正が行われなかった場合、上限閾値が監視期間の８週目においても上限体重線Ｕｗが示す上限閾値は７６．６ｋｇのままである。この場合、７５．７ｋｇの体重データＰ１が測定されても上限閾値を超過しないため、病態が悪化傾向にあることに基づく心疾患患者αの体重増加が判定部５７において検出できない。
【０１０４】
図８に示す例では、基準体重値補正処理は、監視期間の４週目から１２週間後の１６週目の初日においても実行される。これにより、図８に示すように、基準体重線Ｓｗが示す基準体重値は７５．０ｋｇに補正され、これに伴って上限体重線Ｕｗが示す上限閾値は７７ｋｇ（＝基準体重値＋２．０ｋｇ）、下限体重線Ｄｗが示す下限閾値は７３ｋｇ（＝基準体重値−２．０ｋｇ）に再設定される。
【０１０５】
また、図８に示す例において、監視期間の１８週目の初日は上限閾値補正処理日且つ下限閾値補正処理日であり、さらに、本例では、担当医師が心疾患患者αの体重をより厳重にコントロールするべきと判断して、病院側コンピュータ９０から厳重コントロール対象情報を入力している。また、受信データ登録部５３は、厳重コントロール対象情報の入力に基づいて、心疾患患者αの識別情報に紐づけて厳重コントロール対象コード（値「１」）を記憶部５１に記憶している。これにより、監視期間の１８週目の初日における上限閾値補正処理日において、上限体重線Ｕｗが示す上限閾値は７６．５ｋｇに補正され、下限体重線Ｄｗが示す下限閾値は７３．５ｋｇに補正される。また、監視期間の１８週目の初日は基準体重値の補正処理日ではないので、基準体重線Ｓｗが示す基準体重値は１６週目に補正された値を維持している。
【０１０６】
以上説明したように、本実施形態による体重変動監視システム１は、心疾患患者が想定される体重計３の利用者の体重変動の度合や病態の変化等に応じて、基準体重値及び閾値超過判定処理に用いる閾値を再設定、又は補正する。これにより、体重変動監視システム１は、健康状態の悪化傾向の検出精度の向上を図ることができる。
【０１０７】
（変形例）
【０１０８】
基準体重値の初期設定は、例えば体重変動監視装置５が自動的に実行してもよい。例えば、体重変動監視装置５は、担当医師等によって病院側コンピュータ９０から識別情報や氏名等の体重計利用者を特定する情報が入力されたことに基づいて、記憶部５１に体重計利用者の直近４週間分の体重データが記憶されているか否かを判定する。体重変動監視装置５は、直近４週間分の体重データが記憶されていると判定すると、記憶部５１から体重計利用者の直近４週間分の体重データを読み出す。体重変動監視装置５は、読み出した体重データから平均値を算出し、算出した平均値を基準体重値として体重計利用者の識別情報と紐づけて記憶部５１に記憶する。
【０１０９】
また、基準体重値の初期設定時において、体重変動監視装置５は、記憶部５１に直近４週間分の体重データが記憶されていないと判定すると、記憶部５１に記憶されている体重計利用者の直近の体重データと身長、年齢等に基づいて標準体重を自動算出し、自動算出した標準体重を初期設定時における基準体重値として体重計利用者の識別情報と紐づけて記憶部５１に記憶してもよい。
【０１１０】
また、上記実施形態による体重変動監視システム１において、補正部５８は、体重計利用者に病態の変化や大きな体重変動等がなくても、体重の変動が生じ得る事象（体重変動事象）が生じたことを検知した場合に、予め指定した宛先（例えば、担当医師のメールドレス）に対して、データ送信部５９に基準体重値及び閾値（上限閾値、下限閾値）の見直しを促すメールを送信させてもよい。ここで、体重の変動が生じ得る事象の一例として、環境に関する事象と、原疾患（慢性心不全）以外の健康障害が想定される。ここで環境に関する事象としては、例えば、住環境の変化（自宅から、高齢者施設などに転居した場合）や、同居人の変化（配偶者や家族の転出等、同居している家族構成の変化）、季節性変動が想定される。また、原疾患以外の健康障害の一例として、肺炎合併、誤嚥性肺炎合併とこれに伴う摂食制限、その他の合併症、急性腸炎、慢性腸炎、急性虚血性心疾患、急性虚血性脳疾患、摂食障害及び老衰等が想定される。
【０１１１】
体重変動事象の発生は、例えば担当医師が病院側コンピュータ９０から入力し、体重変動監視装置５に送信する。受信データ登録部５３は、体重変動事象の発生を示す情報（体重変動事象発生情報）を受信すると、体重変動事象発生情報に含まれる事象の内容を体重計利用者を識別する情報と紐づけて、記憶部５１に登録する。また、補正部５８は、１日に１回、記憶部５１に新たに体重変動事象発生情報が登録されたか否かを確認し、体重変動事象発生情報が登録されたと判定すると、基準体重値の見直しを促す通知（電子メール）をデータ送信部５９に送信させる。これにより、担当医師は、体重計利用者に体重変動事象による体重変動に先んじて、基準体重値の見直しを行い、これに伴って閾値（上限閾値及び下限閾値）の再設定を行うことができる。
【０１１２】
このように、体重変動監視システム１において補正部５８は、体重計３の利用者に体重変動の要因となり得る事象が生じた場合に、病院側コンピュータ９０に対して基準体重値の見直しを促す通知をデータ送信部５９に行わせることが可能である。これにより、体重変動監視システム１は、体重計利用者における健康状態の悪化傾向の検出精度をより向上させることができる。また、体重変動監視システム１は、基準体重値の見直しを促す通知（電子メール）と同内容の情報を病院側端末装置であるファクシミリ装置へ送信してもよい。
【０１１３】
また、上記実施形態による体重変動監視システム１において、体重変動監視装置５では閾値超過判定処理（図２参照）を１日１回実行するとしたが、本発明はこれに限られない。体重変動監視装置５は、１日に複数回、閾値超過判定処理を実行するように構成されていてもよい。また、体重変動監視装置５は受信データ登録部５３が病院側コンピュータ９０から閾値超過判定処理の実行のリクエストを受信した場合に、閾値超過判定処理を実行するように構成されていてもよい。これにより、体重変動監視装置５は担当医師の所望するタイミングで閾値超過判定処理を実行し、体重計利用者に病態の悪化傾向が生じている場合に予め定められた宛先に通知（電子メール）を送信することができる。
【０１１４】
また、体重変動監視装置５のデータ送信部５９は、体重計利用者が所定日数以上（例えば５日以上）体重データを計測していない場合に、その旨を病院側端末へ通知するように構成されていてもよい。これにより、体重変動監視システム１は、担当医師や看護師が体重計利用者やその家族へ連絡をして、体重計利用者に体重データの測定を促したり、体重計利用者に異変が発生しているか否かを確認したりする契機を生じさせることができる。
【０１１５】
また、体重変動監視装置５のデータ送信部５９は、体重計利用者が通院するタイミングに合わせて、例えば記憶部５１に記憶されている４週分の体重データの変動を示す体重変動レポートを病院側端末へ送信するように構成されていてもよい。体重計利用者が通院するタイミングは、病院側コンピュータ９０から入力されて受信データ登録部５３によって記憶部５１に登録されていてもよいし、通院当日に体重計利用者が体重計３に設けられた所定のボタンを押下することで、体重計３の通信部３７から体重変動監視装置５に送信されてもよい。体重計利用者が通院した際に、担当医師や看護師が体重変動レポートを見ながら体重計利用者にアドバイスや励ましを行うことで、体重計利用者の体重計３による体重データ測定のモチベーションを維持、向上させることができる。
【０１１６】
本発明の体重変動監視システム１の体重計３は、音声を出力する音声出力部を有していてもよい。音声出力部は、測定部３１による体重データの測定が完了したことを検知すると、ブザー音やメロディ音を出力してもよいし、測定された体重データの値を含む音声メッセージ（例えば「体重は、○ｋｇです。」等）を出力してもよい。
【０１１７】
また、体重計３には、天板に複数（例えば、３つ）のランプを有する点灯装置が設けられていてもよい。点灯装置は、例えば、ランプの点灯状態によって体重データの測定の進捗状況を表すように構成されていてもよい。この場合、例えば体重計利用者が体重計３による体重データの測定を開始すると、３つのランプが１つずつ点灯していき、最終的に３つ全てのランプが点灯すると体重データ測定が完了したことを示す。また、点灯装置のランプは、通信部３７による体重変動監視装置５への体重データ情報等の送信状況を示すように構成されていてもよい。この場合、通信部３７が体重変動監視装置５へのデータの送信を開始すると、３つのランプが１つずつ点灯していき、最終的に３つ全てのランプが点灯するとデータ送信が完了したことを示す。
【０１１８】
また、本発明の体重計３は、体重変動監視装置５以外の装置とも通信可能に構成されていてもよい。例えば、体重変動監視システム１は、体重計利用者が体調を入力する簡易入力装置をさらに備え、体重計利用者が入力した体調情報が体重計３を介して体重変動監視装置５に送信されるように構成されていてもよい。例えば簡易入力装置はそれぞれ体調が良好、普通、不良であることを示す３つのボタンを有し、体重計利用者がこの３つのボタンの何れかを押下することで、体重計３を介してその日の体調が体重変動監視装置５に送信されるように構成されていてもよい。これにより、担当医師は、例えば病院側コンピュータ９０から体重計利用者の体重データに加えて体調の情報も閲覧することができる。また、体重変動監視システム１には簡易入力装置以外にも、体重計３と通信可能な所定の血圧計や血糖値計、活動量計、動脈血酸素飽和度（ＳｐО２）測定器（パルスオキシメータ）といった多様な測定器が含まれていてもよい。これにより、担当医師は体重計利用者が罹患している心疾患以外の病気（糖尿病、高血圧症、慢性閉塞性肺疾患（ＣＯＰＤ等）の状態も病院側コンピュータ９０を一例とする外部端末装置を用いて確認することができる。
【０１１９】
また、本発明の体重変動監視システムの構成は、図１に示す構成に限られない。本発明の体重変動監視システムは、例えば図９に示す体重変動監視システム２のように、体重計３と体重変動監視装置５の間に通信装置４が配置されていてもよい。具体的には、図９に示す例では、体重計３とインターネット回線との間に通信装置４が配置されている。体重変動監視システム２では、体重計３と体重変動監視装置５とは、通信装置４を介して通信を行うように構成されている。通信装置４としては、所定の通信端末が想定される。体重変動監視システム２において、体重計３の通信部３７は、通信装置４を経由して体重変動監視装置５に体重データ等を送信し、通信装置４を経由して体重変動監視装置５から送信されたデータを受信する。体重計３の通信部３７と通信装置４との間では、無線もしくは有線の経路によって通信が行われる。図９に示すように、通信装置４は、受信部４１と、送信部４２とを備えている。通信装置４では、体重計３から送信されたデータ（体重データ情報等）を受信部４１が受信し、該データを送信部４２がインターネット回線を経由して体重変動監視装置５に送信する。また、通信装置４では、体重変動監視装置５から送信されたデータを受信部４１が受信し、該データを送信部４２が体重計３に送信する。なお、図９に示す体重変動監視システム２は、通信装置４を備える点及び通信部３７の通信先が通信装置４である点で上記実施形態による体重変動監視システム１と相違するが、体重変動監視システム１と同等の作用・効果を奏する。
【０１２０】
以上、添付図面を参照しながら本発明の好適な実施形態とその変形例について説明したが、本発明はかかる実施形態等に限定されない。当業者であれば、特許請求の範囲に記載された範疇において、各種の変更例又は修正例に想到し得ることは明らかであり、それらについても当然に本発明の技術的範囲に属するものと了解される。
【符号の説明】
【０１２１】
１  体重変動監視システム
３  体重計
４  通信装置
５  体重変動監視装置
３１  測定部
３３  データ蓄積部
３５  データ表示部
３７  通信部
４１  受信部
４２  送信部
５１  記憶部
５３  受信データ登録部
５７  判定部
５８  補正部
５９  データ送信部
９０  病院側コンピュータ
【図１】
2019020275.tif 000003
【図２】
2019020275.tif 000004
【図３】
2019020275.tif 000005
【図４】
2019020275.tif 000006
【図５】
2019020275.tif 000007
【図６】
2019020275.tif 000008
【図７】
2019020275.tif 000009
【図８】
2019020275.tif 000010
【図９】
2019020275.tif 000011